(57)【要約】【課題】  ブラシホルダの円環部材をブラケットの開口側に配設してスタータモータを組み付ける場合においても、ブラケットの開口側から容易にブラシを内側に押し出すことができ、ブラシをコンミテータに確実に当接させることができるブラシホルダを提供する。【解決手段】  絶縁体からなる円環部材２に、内外周方向に開口したガイド部３が形成され、当該ガイド部３内を、前記円環部材２の内外周方向に摺動可能なブラシ４が備わり、当該ブラシ４は、前記ガイド部３の内側及び外側において、その位置を固定保持可能であり、前記ガイド部３が形成された位置における前記円環部材２の外周縁に切欠き部１６が形成され、当該切欠き１６部は、前記ブラシ４が前記ガイド部３の外側に位置した状態で、前記ブラシ４の外側端部を越える位置まで内周方向に切欠かれて形成される。【選択図】        図２
2008220079.tif 000002
【特許請求の範囲】
【請求項１】
絶縁体からなる円環部材に、内外周方向に開口したガイド部が形成され、
当該ガイド部内を、前記円環部材の内外周方向に摺動可能なブラシが備わり、
当該ブラシは、前記ガイド部の内側及び外側において、その位置を固定保持可能であり、
前記ガイド部が形成された位置における前記円環部材の外周縁に切欠き部が形成され、
当該切欠き部は、前記ブラシが前記ガイド部の外側に位置した状態で、前記ブラシの外側端部を越える位置まで内周方向に切欠かれて形成されることを特徴とするブラシホルダ。
【請求項２】
前記ブラシの外側端部の前記切欠き部側の角部には、階段状に形成された段部が設けられることを特徴とする請求項１に記載のブラシホルダ。
【請求項３】
前記円環部材の外周縁は、スタータモータのヨークとブラケットに挟持されて固定保持され、前記円環部材の外周縁には、前記ヨーク方向に突出する凸部が形成され、前記ヨークには、当該凸部を嵌合可能な凹部が切欠かれて形成され、前記凸部及び凹部の嵌合深さは、少なくとも前記円環部材の厚さの２倍以上であることを特徴とする請求項１又は２に記載のブラシホルダ。
【発明の詳細な説明】
【技術分野】
【０００１】
この発明は、スタータモータのコンミテータに電流を流すためのブラシを備えたブラシホルダに関するものである。
【背景技術】
【０００２】
セルスターターにより鞍乗車両のエンジンを始動する場合、スタータリレーからスタータモータに電力が供給され、このスタータモータの回転によりクランクシャフトを回転させて行われる。スタータモータへの電力の供給は、スタータモータに備わるターミナルに対し、セルスターターからのリード線から行われる。
【０００３】
この場合、スタータモータのブラケットにブラシホルダを組み付け、このブラシホルダに備わるブラシをブラケット内のコンミテータに当接させ、当該ブラシに対して給電することにより行われる。このようなブラシホルダユニットが特許文献１に記載されている。このブラシホルダユニットは、ブラシホルダユニットの組み付け工数を削減するとともに、その組み付け位置精度を向上させるものである。
【０００４】
【特許文献１】特開２００３−２３７４６号公報
【発明の開示】
【発明が解決しようとする課題】
【０００５】
しかしながら、特許文献１のブラシホルダユニットは、ブラケットの開口側にブラシが備わるものである。したがって、スタータモータの組み付け時には、ブラシホルダを装着して、ブラシをコンミテータに当接させる作業を容易に行うことができる。すなわち、ブラシがブラケットの開口側に位置するように組み付けるので、作業者はこれを目視しながらブラシを円環部材の内側に押し出して、コンミテータに当接させることができる。
【０００６】
これに対し、ブラシをブラケットの底部側に位置するように組み付けた場合、ブラシホルダの基板となる円環部材がブラケットの開口側に位置するため、スタータモータの組み付け時にブラシをブラケットの開口から目視できないばかりか、円環部材に遮られてブラシをコンミテータに当接させる作業をすることができない。
【０００７】
この発明は、上記従来技術を考慮したものであって、ブラシホルダの円環部材をブラケットの開口側に配設してスタータモータを組み付ける場合においても、ブラケットの開口側から容易にブラシを内側に押し出すことができ、ブラシをコンミテータに確実に当接させることができるブラシホルダを提供することを目的とする。
【課題を解決するための手段】
【０００８】
前記目的を達成するため、請求項１の発明では、絶縁体からなる円環部材に、内外周方向に開口したガイド部が形成され、当該ガイド部内を、前記円環部材の内外周方向に摺動可能なブラシが備わり、当該ブラシは、前記ガイド部の内側及び外側において、その位置を固定保持可能であり、前記ガイド部が形成された位置における前記円環部材の外周縁に切欠き部が形成され、当該切欠き部は、前記ブラシが前記ガイド部の外側に位置した状態で、前記ブラシの外側端部を越える位置まで内周方向に切欠かれて形成されることを特徴とするブラシホルダを提供する。
【０００９】
請求項２の発明では、請求項１の発明において、前記ブラシの外側端部の前記切欠き部側の角部には、階段状に形成された段部が設けられることを特徴としている。
【００１０】
請求項３の発明では、請求項１又は２の発明において、前記円環部材の外周縁は、スタータモータのヨークとブラケットに挟持されて固定保持され、前記円環部材の外周縁には、前記ヨーク方向に突出する凸部が形成され、前記ヨークには、当該凸部を嵌合可能な凹部が切欠かれて形成され、前記凸部及び凹部の嵌合深さは、少なくとも前記円環部材の厚さの２倍以上であることを特徴としている。
【発明の効果】
【００１１】
請求項１の発明によれば、ガイド部が形成された位置における円環部材の外周縁に切欠き部が形成され、この切欠き部は、ブラシがガイド部の外側に位置した状態で、ブラシの外側端部を越える位置まで内周方向に切欠かれて形成される。したがって、ブラシをブラケットの底部側にして、すなわち円環部材をブラケットの開口側にしてブラシホルダをブラケットに装着した場合でも、切欠き部を介してブラシを内側に容易に押し出すことができる。このため、ブラシをコンミテータに確実に当接させることができる。
【００１２】
請求項２の発明によれば、ブラシの外側端部の切欠き部側、すなわち切欠き部から見える部分のブラシの角部に、階段状に形成された段部が設けられるため、ブラシを内側に押し出す際に、この段部に工具等を当接させて押し出すことができ、作業が容易になり、確実な押し出し作業を実現できる。
【００１３】
請求項３の発明によれば、ヨーク及び円環部材に凹部と凸部が形成され、これを嵌合して互いを接合するため、ブラケットの組み付け作業を正確な位置で確実に行うことができる。また、この嵌合深さが少なくとも円環部材の厚さの２倍以上であるため、その深さが比較的深いものであるので、作業者は両部材が嵌合したことを確実に認識することができる。
【発明を実施するための最良の形態】
【００１４】
この発明は、絶縁体からなる円環部材に、内外周方向に開口したガイド部が形成され、当該ガイド部内を、前記円環部材の内外周方向に摺動可能なブラシが備わり、当該ブラシは、前記ガイド部の内側及び外側において、その位置を固定保持可能であり、前記ガイド部が形成された位置における前記円環部材の外周縁に切欠き部が形成され、当該切欠き部は、前記ブラシが前記ガイド部の外側に位置した状態で、前記ブラシの外側端部を越える位置まで内周方向に切欠かれて形成し、ブラケットの開口側に円環部材を配してブラシホルダを装着した場合でも、切欠き部を介してブラシを内側に容易に押し出すことができ、ブラシをコンミテータに確実に当接させることができるブラシホルダである。
【実施例】
【００１５】
図１（Ａ）はこの発明に係るブラシホルダに備わるブラシを押し出す前の状態の正面図であり、（Ｂ）は（Ａ）のＡ−Ａ断面図である。図２（Ａ）はブラシホルダの底面図であり、（Ｂ）は（Ａ）のＢ−Ｂ断面図である。また、図３（Ａ）はこの発明に係るブラシホルダのブラシを押し出した後の状態の正面図であり、（Ｂ）は（Ａ）のＣ−Ｃ断面図である。また、図４（Ａ）はブラシホルダを後ブラケットに装着したときの正面概略図であり、（Ｂ）は（Ａ）のＤ−Ｄ断面図である。また、図５（Ａ）はヨークの断面図であり、（Ｂ）は（Ａ）のＥ−Ｅ視図である。
【００１６】
この発明に係るブラシホルダ１は、絶縁体からなる円環部材２と、その表面に複数個（図では４個）配設されるガイド部３で構成される。ガイド部３は、円環部材２の内外周方向に開口した略角筒形状であり、その内部をブラシ４が摺動可能に配設される。ブラシ４は、図１に示すように、ガイド部３内の外側の位置で、スプリング５により一方の側面方向から付勢されてガイド部３の他方の内側壁に押し付けられてその位置を固定保持される。
【００１７】
円環部材２の裏面には、略半円状の銅板６がリベット７により固定される。この銅板６は、複数個（図では２個）のブラシ４とピグテール８により電気的に接続される。銅板６への給電は、後ブラケット９を挿通するボルト１１から行われる。ボルト１１は、図４に示すように、後ブラケット９に対してナット１５によりナット締めされる。円環部材２の外縁には、金属製のアース部材１２が挟持される。このアース部材１２は、上述した銅板６と接続されたブラシ４以外のブラシとピグテール８により電気的に接続される。アース部材１２は、後述するスタータモータ１４を構成する後ブラケット９とヨーク１３との間に挟持されて固定保持され、ボディーアースされる。
【００１８】
ブラシホルダ１は、後ブラケット９の開口側が円環部材２の裏面となるように配設される。したがって、ブラシホルダ１を後ブラケット９に装着したときは、図４（Ａ）に示すように、円環部材２の裏面側が臨むことになる。この後、ブラシ４を後ブラケット９の軸心に位置するコンミテータ２６（図６参照）に当接させるために、ブラシ４を内側に押し出す作業が行われる。
【００１９】
ガイド部３が形成された位置における円環部材２及びアース部材１２の外周縁には、切欠き部１６が形成される。この切欠き部１６は、ブラシ４の外側縁部がガイド部３の外側に位置した状態で、ブラシ４の外側端部を越える位置まで内周方向に切欠かれて形成される。したがって、ブラシホルダ１を後ブラケット９に装着し、アーマチュアを挿入して、ブラシ４を押し出す作業の際、切欠き部１６からブラシ４の後端部を臨むことができる。作業者は、この切欠き部１６に工具等を挿入してブラシ４の後端部を押し、ブラシ４を内側に容易にかつ確実に移動させることができる。
【００２０】
切欠き部１６から見える側のブラシ４の角部は、階段状に段部１７が形成される。したがって、ブラシ４を内側に押し出す際に、この段部１７に工具等を当接させて押し出すことができ、作業が容易になり、確実な押し出し作業を実現できる。
【００２１】
ブラシ４が押し出されると同時に、側面方向から付勢していたスプリング５がガイド部３の側面に設けた切欠きを通してブラシ４の後端側に移動し、再びブラシ４を内側方向に付勢する（図３参照）。これにより、ブラシ４はガイド部３の内側に位置した状態で、スプリング５により固定保持される。したがって、ブラシ４はコンミテータ２６（図６参照）に当接した状態を確実に保持できる。
【００２２】
図５に示すように、ヨーク１３は略円筒形状であり、内側に永久磁石である複数個（図では４個）のマグネット１８が固定される。ヨーク１３の後端部（図４の右側方向）には、凹部１９が切欠かれて形成される。一方で、アース部材１２は、その周縁の一部が裏面方向に折り曲げて形成され、凸部２０が形成される（図２の（Ｂ）参照）。上述したように、ブラシホルダ１は、後ブラケット９とヨーク１３に挟持されて固定されるので、この挟持の際に、当該凹部１９と凸部２０を嵌合することにより、両者の位置決めを容易かつ確実に行うことができる（図６参照）。したがって、ヨーク１３に対する後ブラケット９の組み付け作業を容易にかつ確実に行うことができる。なお、図では凸部２０をアース部材１２に形成した例を示したが、円環部材２に形成してもよい。
【００２３】
凹部１９と凸部２０の嵌合深さは、少なくとも円環部材の厚さの２倍以上である。このため、その深さは比較的深いものであるので、作業者は両部材が嵌合したことを確実に認識することができる。したがって、ヨーク１３と後ブラケット９の位置決めを誤った状態で組み付けることを抑制できる。
【００２４】
図６はブラシホルダが取り付けられたスタータモータの一部断面図である。
【００２５】
図示したように、スタータモータ１４は前ブラケット２１とヨーク１３、及び後ブラケット９で構成される。ヨーク１３の内周面には、複数個のマグネット１８が固定され、ステータが形成される。その内側に、ロータ２２が配設される。ロータ２２は、スタータモータ１４の軸となるスタータギヤ２３に固定されたコア２４にコイル２５を巻線により形成したものである。この巻線はコンミテータ２６に接続される。スタータギヤ２３は、前ブラケット２１及び後ブラケット９に備わる軸受け２７，２８で支持される。モータへの給電は、キャップ３０で覆われたターミナル１０において、リード線２９から給電端子３１を介してボルト１１、ブラシ４、コンミテータ２６へ行われる。３２はスタータモータ１４を車体に取り付けるための取付部である。また、後ブラケット９とヨーク１３は凹部１９及び凸部２０により確実に位置決めされて嵌合される。
【図面の簡単な説明】
【００２６】
【図１】この発明に係るブラシホルダに備わるブラシを押し出す前の状態の正面図であり、（Ｂ）は（Ａ）のＡ−Ａ断面図である。
【図２】（Ａ）はブラシホルダの底面図であり、（Ｂ）は（Ａ）のＢ−Ｂ断面図である。
【図３】（Ａ）はこの発明に係るブラシホルダのブラシを押し出した後の状態の正面図であり、（Ｂ）は（Ａ）のＣ−Ｃ断面図である。
【図４】（Ａ）はブラシホルダを後ブラケットに装着したときの正面概略図であり、（Ｂ）は（Ａ）のＤ−Ｄ断面図である。
【図５】（Ａ）はヨークの断面図であり、（Ｂ）は（Ａ）のＥ−Ｅ視図である。
【図６】ブラシホルダが取り付けられたスタータモータの一部断面図である。
【符号の説明】
【００２７】
１：ブラシホルダ、２：円環部材、３：ガイド部、４：ブラシ、５：スプリング、６：銅板、７：リベット、８：ピグテール、９：後ブラケット、１０：ターミナル、１１：ボルト、１２：アース部材、１３：ヨーク、１４：スタータモータ、１５：ナット、１６：切欠き部、１７：段部、１８：マグネット、１９：凹部、２０：凸部、２１：前ブラケット、２２：ロータ、２３：スタータギヤ、２４：コア、２５：コイル、２６：コンミテータ、２７：軸受け、２８：軸受け、２９：リード線、３０：キャップ、３１：宮殿端子、３２：取付部
【図１】
2008220079.tif 000003
【図２】
2008220079.tif 000004
【図３】
2008220079.tif 000005
【図４】
2008220079.tif 000006
【図５】
2008220079.tif 000007
【図６】
2008220079.tif 000008